(57)【要約】【課題】パラペット等が存在している箇所でも適切に折板の端部を曲げ起こすことができる止水部折り工具を提供する。【解決手段】止水部折り工具１は、本体部２と、上記本体部２を操作するための柄部３と、上記柄部３を上記本体部２に連結するラチェット部４とを備える。上記本体部２は、平板部２１と、立上板部２２と、先端部材２３とを備える。上記本体部２においては、上記下板部２３ｂが上記折板の端部の下側に位置させる下側部となり、上記平板部２１が、上記折板の端部の上側に位置させる上側部となり、上記先端部材２３の上記縦部２３ｃが上記下側部と上記上側部とを繋ぐ繋ぎ部となる。【選択図】図３
2017179768.tif 000002
【特許請求の範囲】
【請求項１】
折板の端部の下側に位置させる下側部、上記折板の端部の上側に位置させる上側部および上記下側部と上記上側部とを繋ぐ繋ぎ部を有する本体部と、上記本体部を操作するための柄部と、上記柄部を上記本体部に連結するラチェット部と、を備えることを特徴とする止水部折り工具。
【請求項２】
請求項１に記載の止水部折り工具において、上記上側部が上記折板の端部の曲げ起こしに必要な長さを有し、上記下側部の長さが上記上側部の長さよりも短くされていることを特徴とする止水部折り工具。
【請求項３】
請求項２に記載の止水部折り工具において、上記折板の端部の下側に位置させた上記下側部に上記折板の端部を押し当てる押圧部を備えることを特徴とする止水部折り工具。
【請求項４】
請求項３に記載の止水部折り工具において、上記折板に接触する上記押圧部の先端が先鋭に形成されており、上記先端に対向する上記下側部の箇所には凹部が形成されていることを特徴とする止水部折り工具。
【請求項５】
請求項１〜請求項４のいずれか１項に記載の止水部折り工具において、上記ラチェット部が上記本体部に対して着脱自在に設けられていることを特徴とする止水部折り工具。
【請求項６】
請求項１〜請求項５のいずれか１項に記載の止水部折り工具において、上記ラチェット部としてラチェットレンチのラチェット部が用いられ、上記ラチェットレンチのハンドル部が上記柄部に固定されることを特徴とする止水部折り工具。
【発明の詳細な説明】
【技術分野】
【０００１】
この発明は、折板の端部を曲げ起こして止水部を形成する止水部折り工具に関する。
【背景技術】
【０００２】
特許文献１には、折板屋根材の止水部形成用治具が開示されている。この止水部形成用治具は、押さえ部と、底部と、上記押さえ部の両外側に設けられた一対の突出部とを有する。上記押さえ部と上記底部とを対向させることにより上記水上側端部の溝底部を挿入するための挿入用隙間が形成される。上記突出部は、上記水上側端部の溝底部を上記挿入用隙間に挿入した状態で上記山部半体の表面側に位置する。さらに、上記突出部は、上記押さえ部と上記底部とを回動させることにより上記挿入用隙間に挿入された上記水上側端部の溝底部を折板屋根材の表面側に屈曲して立ち上げる際に上記山部半体の表面に当接するように形成する。
【先行技術文献】
【特許文献】
【０００３】
【特許文献１】特開２０１２−１０７４６５号公報
【発明の概要】
【発明が解決しようとする課題】
【０００４】
しかしながら、上記従来の止水部折り工具では、押さえ板に固定されたハンドルが上記押さえ板よりも外側に傾いた構造であるため、上記押さえ板を折板の端部に係合させるときに、上記ハンドルがパラペットの胴縁等に当たり、上記押さえ板を折板の端部に係合させることができないことがある。また、このようにパラペット等が邪魔になる場合においては、折板を持ち上げて横にずらした状態で、端部を止水部折り工具で曲げ起こす作業を行うことになるが、これでは作業効率が悪くなる。一方、上記ハンドルが上記押さえ板よりも内側に傾けられていると、上記ハンドルがパラペットに当たるのを避けることができるものの、上記折板の端部を必要な角度まで曲げ起こすことができない。
【０００５】
この発明は、上記の事情に鑑み、パラペット等が存在している箇所でも適切に折板の端部を曲げ起こすことができる止水部折り工具を提供することを課題とする。
【課題を解決するための手段】
【０００６】
この発明の止水部折り工具は、上記の課題を解決するために、折板の端部の下側に位置させる下側部、上記折板の端部の上側に位置させる上側部および上記下側部と上記上側部とを繋ぐ繋ぎ部を有する本体部と、上記本体部を操作するための柄部と、上記柄部を上記本体部に連結するラチェット部と、を備えることを特徴とする。
【０００７】
上記の構成であれば、上記柄部が上記ラチェット部を介して上記本体部に連結されているので、複数回の曲げ起こし操作を行って上記折板を必要な角度に曲げ起こすことが可能になる。したがって、柄部を本体部よりも外側に傾けておく必要がなく、パラペット等が存在している箇所でも適切に折板の端部を曲げ起こすことができる。また、上記ラチェット部が有ることで、上記柄部を上記本体部に極力近づけて折り畳むことも可能であり、止水部折り工具の収納保管スペースを小さくすることができる。
【０００８】
上記上側部が上記折板の端部の曲げ起こしに必要な長さを有し、上記下側部の長さが上記上側部の長さよりも短くされていてもよい。これによれば、例えば、上記折板の端部とパラペットとの間の隙間が上記上側部よりも狭くても、上記下側部は上記上側部よりも短いので、上記下側部を上記隙間から上記折板の下に位置させることが可能となる場合が多くなる。
【０００９】
上記折板の端部の下側に位置させた上記下側部に上記折板の端部を押し当てる押圧部を備えてもよい。これによれば、上記折板の端部に対する上記下側部の引っ掛かり長さが短くても、上記折板の端部が上記押圧部と上記下側部とによって押圧状態で挟まれるので、上記折板の端部の曲げ起こし操作の際に、上記折板の端部が上記下側部から外れるのを低減できる。
【００１０】
上記折板に接触する上記押圧部の先端が先鋭に形成されており、上記先端に対向する上記下側部の箇所には凹部が形成されていてもよい。これによれば、上記折板の端部に上記先端が噛み込んで滑り止めとなるので、上記折板の端部が上記下側部から一層外れ難くなる。
【００１１】
上記ラチェット部が上記本体部に対して着脱自在に設けられていてもよい。これによれば、上記本体部側から上記ラチェット部および柄部側を外してコンパクトに収納等することができる。また、寸法の異なる本体部を複数用意し、上記柄部およびラチェット部を共用する形態とすることもできる。
【００１２】
上記ラチェット部としてラチェットレンチのラチェット部が用いられ、上記ラチェットレンチのハンドル部が上記柄部に固定される構造としてもよい。これによれば、既存のラチェットレンチを用いることが可能になるので、止水部折り工具の低価格化を図ることができる。
【発明の効果】
【００１３】
本発明であれば、パラペット等が存在している箇所でも適切に折板の端部を曲げ起こすことができるという効果を奏する。
【図面の簡単な説明】
【００１４】
【図１】実施形態を示す図であって、同図（Ａ）は止水部折り工具の部分側面図であり、同図（Ｂ）は押圧部を省いて示した同部分側面図である。
【図２】図１の止水部折り工具の概略の平面図である。
【図３】図１の止水部折り工具の操作説明図である。
【発明を実施するための形態】
【００１５】
以下、この発明の一態様に係る実施形態を添付図面に基づいて説明する。図１（Ａ）、図１（Ｂ）および図２に示すように、この実施形態の止水部折り工具１は、本体部２と、柄部３と、ラチェット部４とを備える。
【００１６】
上記本体部２は、平板部２１と、立上板部２２と、先端部材２３とを備える。これら平板部２１、立上板部２２および先端部材２３は、例えば鋼材からなり、溶接等によって互いに固定される。
【００１７】
上記平板部２１は、上記折板Ｂの端部の上側に位置させる上側部となる。上記平板部２１の幅Ｗは、例えば、折板Ｂにおける谷部の幅と同程度の幅とされる。また、上記平板部２１の長さＬは、上記折板Ｂの端部の曲げ起こしの長さ（折板Ｂの端から折板Ｂの曲げ起こし基点位置までの距離）に合致しており、例えば、１３０ｍｍ程度とされる。
【００１８】
上記立上板部２２は、上記平板部２１の幅方向の略中央となる位置に溶接によって上記平板部２１の上面に固定されている。この立上板部２２には、上記折板Ｂの端部の曲げ起こし方向と直交する方向に六角頭ボルト２２ａが螺合固定されている。この立上板部２２に対する上記六角頭ボルト２２ａの固定は、溶接等により行うことができる。
【００１９】
上記先端部材２３は、上板部２３ａと、下板部２３ｂと、これら上板部２３ａと下板部２３ｂとを繋ぐ縦部２３ｃとからなる断面略コ字形状を有しており、上記上板部２３ａが上記平板部２１の端部上面に溶接等により固定される。また、上記下板部２３ｂが上記平板部２１の下面に対向して位置しており、上記下板部２３ｂと上記平板部２１との間の隙間に上記折板Ｂの端部が入り込めるようになっている。
【００２０】
上記本体部２においては、上記下板部２３ｂが上記折板Ｂの端部の下側に位置させる下側部となり、上記平板部２１が、上記折板Ｂの端部の上側に位置させる上側部となり、上記先端部材２３の上記縦部２３ｃが上記下側部と上記上側部とを繋ぐ繋ぎ部となる。上記下板部２３ｂの長さは、上側部となる上記平板部２１の長さＬよりも短く、例えば、１０ｍｍ〜３０ｍｍ程度とされ、望ましくは、１２ｍｍ〜２０ｍｍ程度とされる。
【００２１】
また、上記先端部材２３における上記上板部２３ａには、ナット２４ａが溶接等により固定されており、上記上板部２３ａおよび上記平板部２１には上記ナット２４ａに連通する貫通孔が形成されている。さらに、上記ナット２４ａに螺合して高頭六角ボルト２４が設けられている。この高頭六角ボルト２４の螺子部の先端２４１は、先鋭に形成されており、上記平板部２１の下面側に臨んでいる。また、上記先端２４１に対向する上記下板部２３ｂの箇所には、凹部２３１が形成されている。上記高頭六角ボルト２４は、上記下板部２３ｂに上記折板Ｂの端部を押し当てる押圧部となる。上記ナット２４ａおよび高頭六角ボルト２４は、上記平板部２１の幅方向に離間して２箇所に設けられている。
【００２２】
上記柄部３は、上記本体部２を操作するものである。この柄部３は、上記ラチェット部４によって上記本体部２に連結される。また、上記柄部３は、例えば、中空の丸パイプからなり、上記ラチェット部４となるラチェットレンチ４００のハンドル４００ａを挿入できるようになっている。また、上記柄部３の周壁には、パイプ中心方向に雌螺子部が形成されており、この雌螺子部に止め螺子３１の螺子部が螺合している。止め螺子３１の握り部を持って当該止め螺子３１を回すと、その螺子部の先端が上記ラチェットレンチ４００のハンドル４００ａに当たり、このラチェットレンチ４００を柄部３に固定することができる。また、上記止め螺子３１を緩めると、上記柄部３を上記ラチェットレンチ４００から取り外すことができる。
【００２３】
上記ラチェット部４（ラチェットレンチ４００のラチェット部）は、一方向（折板Ｂの端部を曲げ起こす方向）の回転が制限され、逆方向の回転では空回りが生じる構造を有するものである。また、このラチェット部４には、ラチェット動作を解除して空回りさせる、或いは制限する回転方向を逆にする切り替え操作部４１が設けられている。また、このラチェット部４には、六角穴部が形成されており、この六角穴部に上記六角頭ボルト２２ａの六角頭部が嵌め込まれる。なお、上記立上板部２２を２枚設け、この２枚の立上板部２２で上記ラチェット部４を両側から挟み込むようにしてもよい。この場合、上記六角頭ボルト２２ａに代えて、上記六角頭部の両側に軸部を有する部材を用い、この部材の上記軸部の端を各立上板部２２で固定してもよい。このような構造であれば、止水部折り工具１の強度アップを図ることができる。一方、上記のように立上板部２２を１枚設ける構造とする場合、上記ラチェット部４が上記本体部２に対して着脱自在となる構造にすることが可能である。
【００２４】
上記の構成であれば、上記柄部３が上記ラチェット部４を介して上記本体部２に連結されているので、図３に示すように、複数回の曲げ起こし操作を行って折板Ｂを必要な角度に曲げ起こすことが可能になる。したがって、柄部３を本体部２よりも外側に傾けておく必要がなく、パラペット等が存在している箇所でも適切に折板Ｂの端部を曲げ起こすことができる。また、上記ラチェット部４が有ることで、上記柄部３を上記本体部２に極力近づけて折り畳むことも可能であり、止水部折り工具１の収納保管スペースを小さくすることができる。
【００２５】
上記折板Ｂの端部の下側に位置する上記下板部２３ｂ（本体部２の下側部）が上記折板Ｂの端部の上側に位置する上記平板部２１（本体部２の上側部）よりも短いと、例えば、上記折板Ｂの端部とパラペットとの間の隙間が上記平板部２１よりも狭くても、上記下板部２３ｂは上記平板部２１よりも短いので、上記下板部２３ｂを上記隙間から上記折板Ｂの下に位置させることが容易になる。もちろん、上記下板部２３ｂと上記平板部２１とが同じ長さである構造を採用することもできる。
【００２６】
上記折板Ｂの端部の下側に位置させた上記下板部２３ｂ（本体部２の下側部）に上記折板Ｂの端部を押し当てる高頭六角ボルト２４（押圧部）を備えていると、上記折板Ｂの端部に対する上記下板部２３ｂの引っ掛かり長さが小さくても、上記折板Ｂの端部は上記高頭六角ボルト２４と上記下板部２３ｂとによって押圧状態で挟まれるので、上記曲げ操作の際に上記折板Ｂの端部が上記下板部２３ｂから外れるのを低減できる。
【００２７】
上記高頭六角ボルト２４の先端２４１が先鋭に形成されており、上記高頭六角ボルト２４の先端に対向する上記下板部２３ｂの箇所に凹部２３１が形成されていると、上記折板Ｂの端部に上記先端２４１が噛み込んで滑り止めとなるので、上記折板Ｂの端部が上記下板部２３ｂから一層外れ難くなる。
【００２８】
上記ラチェット部４が上記本体部２に対して着脱自在に設けられていると、上記本体部２側から上記ラチェット部４および柄部３側を外してコンパクトに収納等することができる。また、寸法の異なる本体部２を複数用意する一方で上記柄部３およびラチェット部４を共用する形態とすることもできる。なお、先にも述べたが、上記立上板部２２を２枚設けた構造とすると、止水部折り工具１の強度アップを図ることができる。
【００２９】
上記ラチェット部４としてラチェットレンチ４００のラチェット部が用いられ、上記ラチェットレンチ４００のハンドル４００ａが上記柄部３に固定される構造であると、既存のラチェットレンチを用いることが可能になるので、止水部折り工具１の低価格化を図ることができる。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３１】
１        ：止水部折り工具
２        ：本体部
３        ：柄部
４        ：ラチェット部
２１      ：平板部
２２      ：立上板部
２２ａ    ：六角頭ボルト
２３      ：先端部材
２３ａ    ：上板部
２３ｂ    ：下板部
２３ｃ    ：縦部
２４      ：高頭六角ボルト
２４ａ    ：ナット
３１      ：止め螺子
２３１    ：凹部
２４１    ：先端
４００    ：ラチェットレンチ
４００ａ  ：ハンドル
Ｂ        ：折板
【図１】
2017179768.tif 000003
【図２】
2017179768.tif 000004
【図３】
2017179768.tif 000005